(57)【特許請求の範囲】
【請求項１】
操作面の一方の端部及び他方の端部に押し込み操作がなされる操作部と、
前記操作部の前記一方の端部側において前記操作部と回転可能に連結された中間部と、
前記操作部の他方の端部側において前記中間部と回転可能に連結された本体と、
前記操作部の前記一方の端部になされた前記押し込み操作により前記操作部と前記中間部との連結部分を第１の回転軸として前記操作部が回転することでオンされる第１のスイッチ素子、及び前記操作部の前記他方の端部になされた前記押し込み操作により前記中間部と前記本体との連結部分を第２の回転軸として前記操作部が回転することでオンされる第２のスイッチ素子を有するスイッチ部と、
を備えた入力装置。
【請求項２】
前記操作部と前記第１のスイッチ素子の間に配置され、前記操作部の前記一方の端部側になされた前記押し込み操作による前記操作部の回転を直線移動に変換して前記第１のスイッチ素子をオンさせる第１の変換部材、及び前記操作部と前記第２のスイッチ素子の間に配置され、前記他方の端部側になされた前記押し込み操作による前記操作部の回転を直線移動に変換して前記第２のスイッチ素子をオンさせる第２の変換部材を有する、
請求項１に記載の入力装置。
【請求項３】
前記中間部は、前記第１の変換部材が貫通する第１の凹部、及び前記第２の変換部材が貫通する第２の凹部が設けられる、
請求項２に記載の入力装置。
【請求項４】
前記本体は、前記操作部の前記一方の端部及び前記他方の端部に同時になされた前記押し込み操作によって前記操作部と接触し、前記第１のスイッチ素子及び前記第２のスイッチ素子の前記オンを規制する規制部を有する、
請求項１乃至３のいずれか１項に記載の入力装置。
【発明の詳細な説明】
【技術分野】
【０００１】
本発明は、入力装置に関する。
【背景技術】
【０００２】
従来の技術として、支軸を回転軸にして支持された操作釦を有し、基板に形成された回路パターンによる固定接点、固定接点に対向して設けられた可動接点、及び操作釦と可動接点との間に配置され、操作釦になされた操作に基づいて、操作釦の移動を可動接点に伝達して可動接点と固定接点を接触させる伝達子を操作釦の両端部に備えたシーソー式スイッチが知られている（例えば、特許文献１参照。）。
【先行技術文献】
【特許文献】
【０００３】
【特許文献１】特開２００２−２３１１０３号公報
【発明の概要】
【発明が解決しようとする課題】
【０００４】
しかし、従来のシーソー式スイッチは、操作釦の一方の端部に操作がなされると、操作釦の中央に位置する支軸を回転軸として操作釦が回転するので、他方の端部が持ち上がる問題がある。
【０００５】
従って、本発明の目的は、操作面の一方の端部になされた押し込み操作による他方の端部の持ち上がりを抑制することができる入力装置を提供することにある。
【課題を解決するための手段】
【０００６】
本発明の一態様は、操作面の一方の端部及び他方の端部に押し込み操作がなされる操作部と、操作部の一方の端部側において操作部と回転可能に連結された中間部と、操作部の他方の端部側において中間部と回転可能に連結された本体と、操作部の一方の端部になされた押し込み操作により操作部と中間部との連結部分を第１の回転軸として操作部が回転することでオンされる第１のスイッチ素子、及び操作部の他方の端部になされた押し込み操作により中間部と本体との連結部分を第２の回転軸として操作部が回転することでオンされる第２のスイッチ素子を有するスイッチ部と、を備えた入力装置を提供する。
【発明の効果】
【０００７】
本発明によれば、操作面の一方の端部になされた押し込み操作による他方の端部の持ち上がりを抑制することができる。
【図面の簡単な説明】
【０００８】
【図１】図１は、実施の形態に係る入力装置の展開図である。
【図２】図２は、実施の形態に係る入力装置のボディ、スイングアーム及びノブを裏側から見た展開図である。
【図３】図３（ａ）は、実施の形態に係る入力装置に対して押し込み操作がなされる前の上面図であり、図３（ｂ）は、入力装置の側面図であり、図３（ｃ）は、図３（ａ）のＡ−Ａ線で切断した断面を矢印方向から見た断面図であり、図３（ｄ）は、図３（ａ）のＢ−Ｂ線で切断した断面を矢印方向から見た断面図である。
【図４】図４（ａ）は、実施の形態に係る入力装置の一方の端部に対して押し込み操作がなされた場合の上面図であり、図４（ｂ）は、入力装置の側面図であり、図４（ｃ）は、図４（ａ）のＣ−Ｃ線で切断した断面を矢印方向から見た断面図であり、図４（ｄ）は、図４（ａ）のＤ−Ｄ線で切断した断面を矢印方向から見た断面図である。
【図５】図５（ａ）は、実施の形態に係る入力装置の他方の端部に対して押し込み操作がなされた場合の上面図であり、図５（ｂ）は、入力装置の側面図であり、図５（ｃ）は、図５（ａ）のＥ−Ｅ線で切断した断面を矢印方向から見た断面図であり、図５（ｄ）は、図５（ａ）のＦ−Ｆ線で切断した断面を矢印方向から見た断面図である。
【発明を実施するための形態】
【０００９】
（実施の形態の要約）
実施の形態に係る入力装置は、操作面の一方の端部及び他方の端部に押し込み操作がなされる操作部と、操作部の一方の端部側において操作部と回転可能に連結された中間部と、操作部の他方の端部側において中間部と回転可能に連結された本体と、操作部の一方の端部になされた押し込み操作により操作部と中間部との連結部分を第１の回転軸として操作部が回転することでオンされる第１のスイッチ素子、及び操作部の他方の端部になされた押し込み操作により中間部と本体との連結部分を第２の回転軸として操作部が回転することでオンされる第２のスイッチ素子を有するスイッチ部と、を備えて概略構成されている。
【００１０】
この入力装置は、操作部になされた押し込み操作により、一方の端部側の第１の回転軸、又は他方の端部側の第２の回転軸を中心に回転するので、回転軸が操作部の中央にある場合と比べて、操作面の一方の端部になされた押し込み操作による他方の端部の持ち上がりを抑制することができる。
【００１１】
[実施の形態]
（入力装置１の全体構成）
図１は、実施の形態に係る入力装置の展開図である。図２は、実施の形態に係る入力装置のボディ、スイングアーム及びノブを裏側から見た展開図である。図３（ａ）は、実施の形態に係る入力装置に対して押し込み操作がなされる前の上面図であり、図３（ｂ）は、入力装置の側面図であり、図３（ｃ）は、図３（ａ）のＡ−Ａ線で切断した断面を矢印方向から見た断面図であり、図３（ｄ）は、図３（ａ）のＢ−Ｂ線で切断した断面を矢印方向から見た断面図である。なお、以下に記載する実施の形態に係る各図において、図形間の比率は、実際の比率とは異なる場合がある。また、下記に記載する上下左右は、特に断らない限り、図１の紙面における上下左右である。
【００１２】
入力装置１は、例えば、車両に搭載された空調装置の温度や風量を調整するためのものである。この入力装置１は、図１及び図２に示すように、カバー２と、基板３と、スイッチ部４と、ボディ６と、スイングアーム７と、ノブ８と、を備えて概略構成されている。またこの入力装置１は、一例として、図３（ａ）に示すように、ベゼル９の開口９０内に配置されているものとする。
【００１３】
具体的には、入力装置１は、操作面８００の一方の端部８０１及び他方の端部８０２に押し込み操作がなされる操作部としてのノブ８と、ノブ８の一方の端部８０１側においてノブ８と回転可能に連結された中間部としてのスイングアーム７と、ノブ８の他方の端部８０２側においてスイングアーム７と回転可能に連結された本体としてのボディ６と、ノブ８の一方の端部８０１になされた押し込み操作によりノブ８とスイングアーム７との連結部分を第１の回転軸としての回転軸Ａとしてノブ８が回転することでオンされる第１のスイッチ素子４１、及びノブ８の他方の端部８０２になされた押し込み操作によりスイングアーム７とボディ６との連結部分を第２の回転軸としての回転軸Ｂとしてノブ８が回転することでオンされる第２のスイッチ素子４２を有するスイッチ部４と、を備えて概略構成されている。
【００１４】
また入力装置１は、ノブ８と第１のスイッチ素子４１の間に配置され、ノブ８の一方の端部８０１側になされた押し込み操作によるノブ８の回転を直線移動に変換して第１のスイッチ素子４１をオンさせる第１の変換部材としてのプッシャー５１、及びノブ８と第２のスイッチ素子４２の間に配置され、他方の端部８０２側になされた押し込み操作によるノブ８の回転を直線移動に変換して第２のスイッチ素子４２をオンさせる第２の変換部材としてのプッシャー５２を有する。
【００１５】
（カバー２の構成）
カバー２は、図１に示すように、長方形状の板である底部２０を有し、この底部２０の周囲を囲むように壁部２２が設けられている。この壁部２２の上面２３には、基板３が配置されている。
【００１６】
この壁部２２の長手方向の第１の側面部２４には、外側に突出すると共に上から下に向かって、つまり組み付ける方向に向かって斜面が形成された突起２４０及び突起２４１が設けられている。また第１の側面部２４と対向する第２の側面部２５には、外側に突出すると共に上から下に向かって斜面が形成された突起２５０及び突起２５１が設けられている。
【００１７】
（基板３の構成）
基板３は、例えば、配線等が表面３０に設けられたプリント配線基板である。この基板３の表面３００には、スイッチ部４が配置されている。スイッチ部４は、表面３０に設けられた配線と電気的に接続されている。
【００１８】
（スイッチ部４の構成）
スイッチ部４は、第１のスイッチ素子４１と第２のスイッチ素子４２とを備えて概略構成されている。この第１のスイッチ素子４１及び第２のスイッチ素子４２は、例えば、微小な接点間隔、スナップアクション機構、及び規定された動きと規定された力で開閉動作する接点機構を本体（本体４１０及び本体４２０）に有すると共に、本体の外部にアクチュエータ（ボタン４１１及びボタン４２１）を備えたマイクロスイッチである。
【００１９】
第１のスイッチ素子４１及び第２のスイッチ素子４２は、なされた押し込み操作によりボタンが本体に押し込まれて接点が閉じ（オン）、押し込む操作が解除されることにより、押し込まれたボタンが元の位置に復帰して接点が開く（オフ）ように構成されている。
【００２０】
（プッシャー５１及びプッシャー５２の構成）
プッシャー５１及びプッシャー５２は、図１に示すように、円柱形状を有する円柱部５１０及び円柱部５２０と、円柱部５１０及び円柱部５２０の端部に設けられた円板形状を有する接触部５１１及び接触部５２１と、を有している。
【００２１】
プッシャー５１の円柱部５１０は、図３（ｃ）に示すように、後述するボディ６のガイド部６６のガイド孔６６０に挿入され、ガイド孔６６０から露出する端部がノブ８の後述するコンタクト８７の接触部８７１と接触する。またプッシャー５１の接触部５１１は、第１のスイッチ素子４１のボタン４１１と接触する。
【００２２】
従って入力装置１は、ノブ８の端部８０１になされた押し込み操作により、ノブ８のコンタクト８７及びプッシャー５１を介して、第１のスイッチ素子４１のボタン４１１が本体４１０側に押し込まれてオンするように構成されている。
【００２３】
プッシャー５２の円柱部５２０は、図３（ｃ）に示すように、ボディ６のガイド部６７のガイド孔６７０に挿入され、ガイド孔６７０から露出する端部がノブ８の後述するコンタクト８８の接触部８８１と接触する。またプッシャー５２の接触部５２１は、第２のスイッチ素子４２のボタン４２１と接触する。
【００２４】
従って入力装置１は、ノブ８の端部８０２になされた押し込み操作により、ノブ８のコンタクト８８及びプッシャー５２を介して、第２のスイッチ素子４２のボタン４２１が本体４２０側に押し込まれてオンするように構成されている。
【００２５】
（ボディ６の構成）
ボディ６は、箱形状を有し、上面６００の一部が開口した基部６０と、基部６０の上面６００に設けられた壁部６３と、を備えて概略構成されている。この基部６０は、下側が開口してカバー２が取り付けられるように構成されている。
【００２６】
基部６０の長手方向の第１の側面部６１には、図１に示すように、両端近傍に貫通孔６１０及び貫通孔６１１が設けられている。この貫通孔６１０には、カバー２の突起２４０が挿入される。また貫通孔６１１には、カバー２の突起２４１が挿入される。
【００２７】
第１の側面部６１に対向する第２の側面部６２には、図２に示すように、貫通孔６１０に対向して貫通孔６２０が設けられ、貫通孔６１１に対向して貫通孔６２１が設けられている。この貫通孔６２０には、カバー２の突起２５０が挿入される。また貫通孔６２１には、カバー２の突起２５１が挿入される。なお貫通孔６１０、貫通孔６１１、貫通孔６２０及び貫通孔６２１の下側には、突起２４０、突起２４１、突起２５０及び突起２５１の挿入を容易にするための斜面が形成されている。
【００２８】
また基部６０の上面６００には、ノブ８の一方の端部８０１及び他方の端部８０２に同時になされた押し込み操作によってノブ８と接触し、第１のスイッチ素子４１及び第２のスイッチ素子４２のオンを規制する規制部６８及び規制部６９が設けられている。
【００２９】
一方の端部８０１側の壁部６３には、対向するように支持部６４及び支持部６５が設けられている。この支持部６４及び支持部６５には、外側に突出する円柱形状の軸部６４０及び軸部６５０が設けられている。軸部６４０及び軸部６５０は、後述するスイングアーム７の軸孔７１１及び軸孔７２１に回転可能に挿入される。この軸部６４０及び軸部６５０は、上部に上から下に向かって斜面が形成され、軸孔７１１及び軸孔７２１への挿入が容易となっている。この挿入により、ノブ８は、軸部６４０及び軸部６５０を回転軸Ｂとして押し込む操作方向、及びその逆方向に回転する。
【００３０】
また壁部６３には、軸部６４０及び軸部６５０の裏側に規制突起６４１及び規制突起６５１が設けられている。規制突起６４１及び規制突起６５１は、上から下に向かって斜面が形成されている。この規制突起６４１は、図２に示すように、後述するノブ８の裏面８０５の規制部８５のスリット８５０に挿入されている。また規制突起６５１は、後述する規制部８６のスリット８６０に挿入されている。挿入された規制突起６４１及び規制突起６５１は、ノブ８をボディ６から取り外す方向に移動させてもスリット８５０及びスリット８６０と接触して抜けないように構成されている。
【００３１】
従って入力装置１は、軸部６４０及び軸部６５０の軸孔７１１及び軸孔７２１への挿入と、規制突起６４１及び規制突起６５１の規制部８５及び規制部８６への挿入により、ボディ６からのノブ８の外れを防止している。
【００３２】
さらに壁部６３には、規制突起６４１と並んで設けられた規制突起６３０と、規制突起６５１と並んで設けられた規制突起６３１と、を有している。規制突起６３０及び規制突起６３１は、上から下に向かって斜面が形成されている。規制突起６３０は、後述するスイングアーム７の規制部７５のスリット７５０に挿入される。また規制突起６３１は、後述する規制部７６のスリット７６０に挿入される。挿入された規制突起６３０及び規制突起６３１は、ノブ８をスイングアーム７から取り外す方向に移動させてもスリット７５０及びスリット７６０と接触して抜けないように構成されている。
【００３３】
ボディ６は、プッシャー５１の直線移動を案内する第１の案内部としてのガイド部６６、及び前記プッシャー５２の直線移動を案内する第２の案内部としてのガイド部６７を有している。
【００３４】
ガイド部６６及びガイド部６７は、壁部６３の短手方向の内側に対向するように設けられている。ガイド部６６及びガイド部６７は、円筒形状を有し、ガイド孔６６０及びガイド孔６７０が形成されている。このガイド孔６６０には、プッシャー５１の円柱部５１０が挿入されている。またガイド孔６７０には、プッシャー５２の円柱部５２０が挿入されている。プッシャー５１及びプッシャー５２は、ガイド部６６及びガイド部６７に案内されて直進移動を行う。
【００３５】
ボディ６は、図２に示すように、貫通孔６１０、貫通孔６１１、貫通孔６２０及び貫通孔６２１の近傍に、保持部６１５、保持部６１６、保持部６１７及び保持部６１８が設けられている。
【００３６】
この保持部６１５〜保持部６１８は、図３（ｄ）に示すように、カバー２がボディ６に取り付けられた際、カバー２の上面２３と共に基板３を挟んで保持するように構成されている。
【００３７】
（スイングアーム７の構成）
スイングアーム７は、上面視において略Ｈ字形状を有している。スイングアーム７は、図１及び図２に示すように、板形状の基部７０を有し、この基部７０の長手方向から対向するように第１の側面部７１及び第２の側面部７２が設けられている。
【００３８】
スイングアーム７は、プッシャー５１が貫通する第１の凹部としての凹部７３、及びプッシャー５２が貫通する第２の凹部としての凹部７４が設けられている。具体的には、基部７０には、短手方向に凹部７３及び凹部７４が形成されている。この凹部７３には、ボディ６のガイド部６６から露出するプッシャー５１の端部が貫通し、ノブ８の接触部８７１と接触している。また凹部７４には、ガイド部６７から露出するプッシャー５２の端部が貫通し、ノブ８の接触部８８１と接触している。
【００３９】
スイングアーム７の第１の側面部７１の端部８０１側には、円形状の軸孔７１１が設けられている。第２の側面部７２には、軸孔７１１と対向するように円形状の軸孔７２１が設けられている。軸孔７１１には、ボディ６の軸部６４０が挿入される。軸孔７２１には、ボディ６の軸部６５０が挿入される。軸孔７１１及び軸孔７２１の下側には、軸部６４０及び軸部６５０の挿入を容易とする斜面が形成されている。
【００４０】
また第１の側面部７１の端部８０２側には、第１の側面部７１から突出する軸部７１０が設けられている。さらに第２の側面部７２の端部８０２側には、第２の側面部７２から突出する軸部７２０が設けられている。この軸部７１０及び軸部７２０は、上から下に向かって斜面が形成されている。
【００４１】
軸部７１０は、ノブ８の後述する軸孔８３０に挿入される。また軸部７２０は、ノブ８の後述する軸孔８４０に挿入される。軸部７１０及び軸部７２０は、軸孔８３０及び軸孔８４０に挿入されることにより、ノブ８の回転軸Ａとなる。従ってノブ８は、押し込み操作によって、押し込まれる方向、及び元の位置に復帰する方向に回転する。
【００４２】
スイングアーム７は、凹部７４側の第１の側面部７１の内側に規制部７５が設けられている。またスイングアーム７は、規制部７５に対向して第２の側面部７２の内側に規制部７６が設けられている。
【００４３】
規制部７５は、凹部７３の第１の側面部７１から下向きに突出するように設けられている。この規制部７５は、板形状を有し、その中央近傍に、上下方向に細長いスリット７５０が設けられている。同様に、規制部７６は、第２の側面部７２から下向きに突出するように設けられている。この規制部７６は、板形状を有し、その中央近傍に、上下方向に細長いスリット７６０が設けられている。
【００４４】
このスリット７５０には、ボディ６の規制突起６３０が挿入される。規制突起６３０は、スリット７５０に挿入された後、ノブ８をボディ６から取り外す方向には互いに接触して抜けないように構成されている。またスリット７６０には、ボディ６の規制突起６３１が挿入される。規制突起６３１は、スリット７６０に挿入された後、ノブ８をボディ６から取り外す方向には互いに接触して抜けないように構成されている。このスリット７５０及びスリット７６０の下側には、規制突起６３０及び規制突起６３１の挿入を容易にする斜面が形成されている。
【００４５】
（ノブ８の構成）
ノブ８は、下面が開口した箱形状を有している。このノブ８の操作面８００の周囲を囲むように、上から下に向かって傾斜する傾斜部８１を有している。
【００４６】
ノブ８は、操作面８００を有する上部８０の下向きに突出するように壁部８２が設けられている。この壁部８２には、長手方向の第１の壁部８３に円形状の軸孔８３０と矩形状の開口８３１が形成されている。この軸孔８３０は、ノブ８の他方の端部８０２側に設けられている。また開口８３１は、ノブ８の一方の端部８０１側に設けられている。
【００４７】
第２の壁部８４には、円形状の軸孔８４０、及び矩形状の開口８４１が設けられている。この軸孔８４０は、軸孔８３０に対向して形成されている。開口８４１は、開口８３１に対向して形成されている。この軸孔８４０は、ノブ８の他方の端部８０２側に設けられている。また開口８４１は、ノブ８の一方の端部８０１側に設けられている。軸孔８３０及び軸孔８４０には、スイングアーム７の軸部７１０及び軸部７２０が挿入される。この軸孔８３０及び軸孔８４０の下側には、軸部７１０及び軸部７２０の挿入を容易とするための斜面が形成されている。
【００４８】
開口８３１側の裏面８０５には、図２に示すように、下側に突出するように規制部８５が設けられている。この規制部８５には、上下方向に細長いスリット８５０が形成されている。また開口８４１側の裏面８０５には、下側に突出するように規制部８６が設けられている。この規制部８６には、上下方向に細長いスリット８６０が形成されている。このスリット８５０及びスリット８６０の下側には、規制突起６４１及び規制突起６５１の挿入を容易とするための斜面が形成されている。
【００４９】
裏面８０５の短手方向の中央には、対向するようにコンタクト８７及びコンタクト８８が設けられている。このコンタクト８７は、図２に示すように、板形状を有し、凹部８７０が形成されている。凹部８７０の壁部８２から離れた端部が接触部８７１となり、プッシャー５１と接触している。またコンタクト８８は、図２に示すように、板形状を有し、凹部８８０が形成されている。凹部８８０の壁部８２から離れた端部が接触部８８１となり、プッシャー５２と接触している。
【００５０】
図２に示すように、軸孔８３０及び軸孔８４０の上側には、ストッパ８９０及びストッパ８９１が設けられている。このストッパ８９０及びストッパ８９１は、ノブ８の裏面８０５で対向している。ストッパ８９０及びストッパ８９１は、他方の端部８０２に押し込み操作がなされた際、スイングアーム７と接触する。この接触により、ノブ８とスイングアーム７が一体となって回転軸Ｂを中心として回転する。
【００５１】
なおカバー２、プッシャー５１、プッシャー５２、ボディ６、スイングアーム７及びノブ８は、例えば、ＡＢＳ（acrylonitrile butadiene styrene copolymer）、ＰＰ（polypropylene）等の樹脂材料を用いて形成されている。しかし、ボディ６、スイングアーム７及びノブ８は、押し込み操作による摩擦により音等が発生することから、ボディ６とスイングアーム７、スイングアーム７とノブ８は、異なる材料から形成されることが好ましい。
【００５２】
（ベゼル９の構成）
ベゼル９は、図３（ａ）及び図３（ｂ）に示すように、入力装置１を収容する開口９０を有している。この開口９０の縁は、開口９０の中央に向けて突出する傾斜部９１となっている。この傾斜部９１は、例えば、図３（ａ）及び図３（ｂ）に示すように、入力装置１のノブ８の傾斜部８１との間隔が一定となるように形成されている。またノブ８の操作面８００は、ベゼル９の表面９２より突出している。
【００５３】
さらにベゼル９は、例えば、図３（ａ）に示すように、開口９０と操作面８００との間隔ｄが一定となるように構成されている。この間隔ｄは、一例として、上面から見た場合のノブ８の傾斜部８１の幅よりも小さくなっている。この間隔ｄが当該幅よりも小さいので、ユーザがノブ８を見た際に、ノブ８の傾斜部８１までしか見えず、意匠が良い。後述するように、ノブ８が一方の端部８０１、及び他方の端部８０２に押し込み操作がなされた場合であっても、ノブ８の傾斜部８１までしか見えず、意匠が良い。
【００５４】
以下では、入力装置１の動作について説明する。
【００５５】
（動作）
・ノブ８の一方の端部８０１に押し込み操作がなされた場合
図４（ａ）は、実施の形態に係る入力装置の一方の端部に対して押し込み操作がなされた場合の上面図であり、図４（ｂ）は、入力装置の側面図であり、図４（ｃ）は、図４（ａ）のＣ−Ｃ線で切断した断面を矢印方向から見た断面図であり、図４（ｄ）は、図４（ａ）のＤ−Ｄ線で切断した断面を矢印方向から見た断面図である。
【００５６】
ノブ８の一方の端部８０１に押し込み操作がなされた場合、入力装置１は、図４（ａ）〜図４（ｄ）に示すように、ノブ８が回転軸Ａを中心として下向きに回転する。この回転に共なって、ノブ８の端部８０１側のコンタクト８７の接触部８７１がガイド部６６によりガイドされたプッシャー５１を直線的に押し下げると共に、プッシャー５１が第１のスイッチ素子４１のボタン４１１を本体４１０側に押し込む。ボタン４１１が本体４１０に押し込まれることにより、第１のスイッチ素子４１は、オンとなる。
【００５７】
端部８０１になされた押し込み操作が終了すると、第１のスイッチ素子４１のボタン４１１の復元力により、プッシャー５１及びコンタクト８７を介してノブ８が上向きの力を受けて回転軸Ａを中心として上向きに回転して操作前の状態に戻る。
【００５８】
なお入力装置１は、図４（ａ）〜図４（ｄ）に示すように、ノブ８が回転軸Ａを中心として下向きに回転した場合、押し込まれた端部８０１とベゼル９との高さが殆ど変わらず面一となっている。また、図４（ｂ）に示すように、端部８０１の押し込み操作において、ノブ８は、規制部６８及び規制部６９と接触しない。
【００５９】
・ノブ８の他方の端部８０２に押し込み操作がなされた場合
図５（ａ）は、実施の形態に係る入力装置の他方の端部に対して押し込み操作がなされた場合の上面図であり、図５（ｂ）は、入力装置の側面図であり、図５（ｃ）は、図５（ａ）のＥ−Ｅ線で切断した断面を矢印方向から見た断面図であり、図５（ｄ）は、図５（ａ）のＦ−Ｆ線で切断した断面を矢印方向から見た断面図である。
【００６０】
ノブ８の他方の端部８０２に押し込み操作がなされた場合、入力装置１は、図５（ａ）〜図５（ｄ）に示すように、ノブ８が回転軸Ｂを中心として下向きに回転してストッパ８９０及びストッパ８９１がスイングアーム７と接触し、この接触によりノブ８とスイングアーム８が一体となって回転する。この回転に共なって、ノブ８の端部８０２側のコンタクト８８の接触部８８１がガイド部６７によりガイドされたプッシャー５２を直線的に押し下げると共に、プッシャー５２が第２のスイッチ素子４２のボタン４２１を本体４２０側に押し込む。ボタン４２１が本体４２０に押し込まれることにより、第２のスイッチ素子４２は、オンとなる。
【００６１】
端部８０２になされた押し込み操作が終了すると、第２のスイッチ素子４２のボタン４２１の復元力により、プッシャー５２及びコンタクト８８を介してノブ８が上向きの力を受けて回転軸Ｂを中心として上向きに回転して操作前の状態に戻る。
【００６２】
なお入力装置１は、図５（ａ）〜図５（ｄ）に示すように、ノブ８が回転軸Ｂを中心として下向きに回転した場合、押し込まれた端部８０２とベゼル９との高さが殆ど変わらず面一となっている。また、図５（ｂ）に示すように、端部８０２の押し込み操作において、ノブ８は、規制部６８及び規制部６９と接触しない。
【００６３】
（実施の形態の効果）
本実施の形態に係る入力装置１は、操作面８００の一方の端部になされた押し込み操作による他方の端部の持ち上がりを抑制することができる。具体的には、入力装置１は、押し込み操作により、一方の端部８０１側の回転軸Ｂ、又は他方の端部８０２側の回転軸Ａを中心に回転するので、回転軸が操作部の中央にある場合と比べて、操作面８００の一方の端部になされた押し込み操作による他方の端部の持ち上がりを抑制することができる。
【００６４】
入力装置１は、押し込み操作が行われた端部の反対の端部の持ち上がりが抑制されるので、ベゼル９の表面９２と反対の端部との高低差が少なく、意匠が良い。
【００６５】
入力装置１は、上面視において、操作の前後でノブ８の傾斜部８１以外の部分が見え難いので、意匠に優れている。
【００６６】
入力装置１は、プッシャー５１及びプッシャー５２により、ノブ８の回転を直線移動に変換して第１のスイッチ素子４１及び第２のスイッチ素子４２のボタン４１１及びボタン４２１を押し下げるので、操作部の回転により直接押し下げる場合と比べて、がたが少なく、安定したスイッチの切り替えができる。
【００６７】
入力装置１は、プッシャー５１及びプッシャー５２がガイド部６６及びガイド部６７により案内されて直線移動するので、安定してスイッチ素子のボタンを押し下げることができる。
【００６８】
入力装置１は、スイングアーム７に凹部７３及び凹部７４が形成されているので、プッシャー５１及びプッシャー５２をノブ８により押し下げることができるので、凹部がない場合と比べて、操作感が得やすい。
【００６９】
入力装置１は、ノブ８の両端に回転軸Ａ及び回転軸Ｂを形成する軸部が配置されているので、操作部の中央に回転軸がある場合と比べて、上下左右のがたつきが少ない。
【００７０】
（他の実施の形態）
上述の実施の形態の入力装置１は、ボディ６の上面６００に規制部６８及び規制部６９が設けられていたので、端部８０１及び端部８０２を同時に押し下げることができなかった。他の実施の形態として、入力装置１は、規制部６８及び規制部６９を設けず、端部８０１及び端部８０２を同時に押し下げる操作を許容する構成であっても良い。
【００７１】
この入力装置１は、端部８０１及び端部８０２を同時に押し下げる操作ができるので、端部８０１及び端部８０２を押し下げた操作に割り当てた機能以外の機能を割り当てることができ、操作の範囲が広くなる。
【００７２】
変形例として、入力装置１は、ボディ６とスイングアーム７とに軸部が形成されたが、これに限定されず、例えば、ボディ６とノブ８に軸部を形成しても良いし、スイングアーム７に４つの軸部を形成しても良い。
【００７３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００７４】
１…入力装置、２…カバー、３…基板、４…スイッチ部、６…ボディ、７…スイングアーム、８…ノブ、９…ベゼル、２０…底部、２２…壁部、２３…上面、２４…第１の側面部、２５…第２の側面部、３０…表面、４１…第１のスイッチ素子、４２…第２のスイッチ素子、５１…プッシャー、５２…プッシャー、６０…基部、６１…第１の側面部、６２…第２の側面部、６３…壁部、６４…支持部、６５…支持部、６６…ガイド部、６７…ガイド部、６８…規制部、６９…規制部、７０…基部、７１…第１の側面部、７２…第２の側面部、７３…凹部、７４…凹部、７５…規制部、７６…規制部、８０…上部、８１…傾斜部、８２…壁部、８３…第１の壁部、８４…第２の壁部、８５…規制部、８６…規制部、８７…コンタクト、８８…コンタクト、９０…開口、９１…傾斜部、９２…表面、２４０…突起、２４１…突起、２５０…突起、２５１…突起、３００…表面、４１０…本体、４１１…ボタン、４２０…本体、４２１…ボタン、５１０…円柱部、５１１…接触部、５２０…円柱部、５２１…接触部、６００…上面、６１０…貫通孔、６１１…貫通孔、６１５…保持部、６１６…保持部、６１７…保持部、６１８…保持部、６２０…貫通孔、６２１…貫通孔、６３０…規制突起、６３１…規制突起、６４０…軸部、６４１…規制突起、６５０…軸部、６５１…規制突起、６６０…ガイド孔、６７０…ガイド孔、７１０…軸部、７１１…軸孔、７２０…軸部、７２１…軸孔、７５０…スリット、７６０…スリット、８００…操作面、８０１…端部、８０２…端部、８０５…裏面、８３０…軸孔、８３１…開口、８４０…軸孔、８４１…開口、８５０…スリット、８６０…スリット、８７０…凹部、８７１…接触部、８８０…凹部、８８１…接触部、８９０…ストッパ、８９１…ストッパ
【図１】
0006261045.tif 000002
【図２】
0006261045.tif 000003
【図３】
0006261045.tif 000004
【図４】
0006261045.tif 000005
【図５】
0006261045.tif 000006